(57)【特許請求の範囲】
【請求項１】
天井に設けられた取付用の開口上に跨設された脚立状の固定部材と、該固定部材により鍔片を前記開口に係止して前記天井に取り付けられた装着部材と、該装着部材に装着される直方体形の火災感知器の本体と、該本体の外側壁と装着部材の内側壁との接触面に前記本体を引抜き可能に固定する固定手段とを備えた火災感知器の取付構造において、
前記本体と装着部材との接触面の間に挿入して前記固定手段の係止を解除するアームと、該解除された固定手段に固定される引掛爪とを備え、前記装着部材に装着された前記本体を装着部材から引き抜くためのほぼコ字状の引抜器を備えたことを特徴とする火災感知器の取外し装置。
【発明の詳細な説明】
【０００１】
【産業上の利用分野】
本発明は、火災感知器に係り、さらに詳しくはシステム天井に形成される帯状の開口や天井板に取付用に設けられた長方形の開口に取付けられた火災感知器の取外し装置に関するものである。
【０００２】
【従来の技術】
近来、建設業界において高層建築物等の天井に特殊なユニット構造の梁部材を用いて、フラットで突出部の少ない天井インテリアの意匠を創作することが行われている。ユニット構造の梁部材には、“Ｔバー”と呼ばれる金属梁が用いられる。“Ｔバー”は、２本一組で間隔を空けて逆Ｔ字状に連結される。“Ｔバー”を対構造に連結した複数の梁部材の逆Ｔ字の外側の張出し部には天井板が載置され、内側の張出し部の間に沿って形成される帯状の開口は普通はそのまま開放されていて排気や換気用の通気路に利用される。
【０００３】
図２３はシステム天井の天井板に取り付けられた従来の露出型の火災感知器の構成を示す説明図である。
図２３において、１０１は天井板１０２に穿設された天井孔、１０３は電源兼信号線等の配線である。また、１０４は内部に円筒形の煙検部１０５を備えた円筒状の火災感知器の本体、１０６は本体１０４の煙導入口に設けられた防虫用の金網である。１０７は本体１０４を天井板１０２側に取付けるための露出型ベースで、天井板１０２にネジ或いはボルト・ナット等の図示されていない固定手段により固定されている。
【０００４】
上記のように構成された従来の火災感知器においては、天井面に沿って水平方向に流れる煙が本体１０４の煙導入口から金網１０６を介して煙検部１０５に流入して火災が検知されるようになっている。
【０００５】
【発明が解決しようとする課題】
ところで、天井面をできるだけすっきりさせるために、火災感知器の小型化が要請されており、特に、最近実用化されている前述のシステム天井の場合には、上述した従来例のように天井面に穴を明けて円筒状の火災感知器を取付けるのでは、天井面をできるだけすっきりさせるというシステム天井の思想に反する等の問題点があった。
【０００６】
本発明は、このような従来の課題を解消するためになされたもので、天井面の露出部が少なく小型な直方体型で、しかも設計面や意匠面で特にシステム天井に好適な火災感知器を天井面か取外すための取外し装置を提供することを目的とするものである。
【０００７】
【課題を解決するための手段】
本発明に係る火災感知器の取外し装置は、天井に設けられた取付用の開口上に跨設された脚立状の固定部材と、該固定部材により鍔片を前記開口に係止して前記天井に取り付けられた装着部材と、該装着部材に装着される直方体形の火災感知器の本体と、該本体の外側壁と装着部材の内側壁との接触面に前記本体を引抜き可能に固定する固定手段とを備えた火災感知器の取付構造において、前記本体と装着部材との接触面の間に挿入して前記固定手段の係止を解除するアームと、該解除された固定手段に固定される引掛爪とを備え、前記装着部材に装着された前記本体を装着部材から引き抜くためのほぼコ字状の引抜器を備えたものである。
【００１１】
【作用】
火災感知器の本体を装着部材から取外すには、コ字形の引抜器が用いられる。引抜器の開放したアームを本体の両側面の隙間に挿入する。アームが隙間に挿入されると、先端がバネ板と落込部の間に割り込んでバネ板を押し広げる。更に前進させると、アームの内側の２つの爪が落込部に落込み、そのまま引抜器を引き出せば本体が引抜器に抱えられて自動的に取外される。
【００１６】
【実施例】
実施例１．
以下、この発明の実施例を、図面を用いて説明する。
図１はこの発明の実施例１の構成説明図、図２は図１の正面図、図３は図１の背面図、図４は図１の底面図、図５はこの発明の実施例の組付け状態を示す断面図である。本発明実施例では火災感知器の取付装置等が含まれて構成部品も多く、感知器の本体の構造や配置も前述の装置と非共通な部分もあるので、同一機能部品に異なる符号を付して説明する。
【００１７】
図１乃至図５において、１はシステム天井、１１は前述のＴバーである。Ｔバー１１は図示のように縦杆部１２と横杆部１３とからなり、アルミニウムのような軽金属合金を引抜き加工した断面ほぼＴ字型の長い成型材が用いられている。Ｔバー１１は２本を２５mm（または１９mm或いは１２．５mm等）の一定幅の帯状の開口１４を隔てて逆Ｔ字状に並べて、図示されていない金具で対構造に連結して梁部材１０が構成される。
【００１８】
Ｔバー１１を対構造に組み合わせた各梁部材１０は、縦杆部１２を利用して屋根組や上層階の床梁等から列状になって天井空間に均一な高さで垂設される。垂設された梁部材１０の隣接列間で水平方向に対向して張出した横杆部１３の上に、天井張りされた天井板１５が載置されて保持される。
【００１９】
２は固定部材である。固定部材２の素材には金属板が用いられ、図６のように矩形枠状に打抜き加工される。打抜き後、２つの長辺の中央に僅かな平面部を残して、１点鎖線の位置で２段階に折り曲げる。この結果、対向短辺で下部が連結された併立する一対の脚立片２１と２２を突出させた、図７に示すような脚立状の固定金具２０が形成される。２３，２４は固定金具２０の頂部、２５，２６は両頂部２１，２２にバーリング加工されたネジ孔で、ネジ孔２５，２６には図１〜３の２本の締付ネジ２７，２８が螺合される。
【００２０】
また、３１，３２は固定金具２０の脚部、３３，３４は脚部３１と３２の下端を内側に折り曲げた足部、３５，３６は大括弧形の打抜き孔の部分を折り曲げたときに脚部３１と３２の延長面上に形成された停止片である。脚立状に開かれた両脚部３１，３２には弾性力が付与されて、両側から押圧力を加えると足部３３，３４の平常状態の間隔が縮小する。固定金具２０は一対の脚立片２１，２２が平常の間隔を保持した状態で、システム天井１の開口１４を跨いで左右の横杆部１３上に跨設される（図１参照）。
【００２１】
４は、火災感知器を天井１に装着するためのベースとなる装着部材である。この実施例では装着部材４に全て金属材が用いられて、装着金具４０を構成している。装着金具４０は図８に示されているようなコ字状の上辺と左右の両側辺とを有する門形の保持枠４１と、やや薄い板材を鍔部を残して胴部を押出し加工した額縁枠４２と釣針形の２枚のバネ板４３とを備える。
【００２２】
額縁枠４２の左右の短辺にバネ板４３が円弧部を内側に突出させてスポット溶接で固着され、この額縁枠４２が保持枠４１の開口端に同様手段で一体に固着されている。４３部分を一体に固着した装着金具４０は開口端に鍔片４４を設けて縦断面が逆Ｕ字形に形成されて、内部に角筒状の装着室４５が構成されている。装着室４５の入口の両側には、バネ板４３の円弧部が露出されている。
【００２３】
４０a は装着金具４０の上辺を貫通するバカ孔、４０b はバーリングのネジ孔を有する起立した取付片、４０c はＬ字形のヒンジ孔、４０d と４０e は左右の肩部に穿設された一対の差込孔と係止孔、４０f は底面（額縁枠４２）の鍔片４４に形成された小さな半円形の標識である。４０g は装着金具４０（保持枠４１）のコ字形の両側辺の折曲片、４０h は上辺の切除部である。
【００２４】
折曲片４０g は、正面側と背面側が異なる幅（Ｗ1 ＞Ｗ2 ）に作られている。異幅の折曲片４０g と標識４０f は、共に次に説明する火災感知器の本体を固定金具２０に装入するときの方向性を示唆する。折曲片４０g と標識４０f による方向性の示唆に基づいて、本体の正方向の装着がガイドされると共に、逆向き方向の装着が防止される。
【００２５】
５は端子機構、５a 〜５c は入出力用の３組の配線である。端子機構５は図１〜３のように装着金具４０の上部に設けられ、天井裏から引出された配線５a 〜５c が接続される。図９の５０は端子機構５の端子台、５１はプリント板、５２と５３はプリント板５１に固定されて裏側のハンダ付けで電気的に接続された接続端子とコネクタプラグ、５４は端子カバーである。
【００２６】
端子台５０と端子カバー５４は同色の合成樹脂で作られ、接続端子５２はコモン線と信号線及びテスト線用の入出力の各対端子がそれぞれ赤色と青色及び白色に色分けされて誤接続が防止される。そして、端子台５０はプリント板５１と重ねられ左右の取付孔５０a ，５１a （図５）に挿通された２本のネジ５５を、取付片４０b のネジ孔に螺合して装着金具４０の上辺に直立して固定されている。固定されたプリント板５１と一体のコネクタプラグ５３は、保持枠４１の切除部４０h から装着金具４０の内部側に向けて複数のプラグピンを衝立片の前に林立させている。
【００２７】
また、端子カバー５４は底面部に設けられたヒンジ軸５４a をヒンジ孔４０c に嵌め合わせて、このヒンジ軸５４a を支点に回動可能に装着金具４０に取付けられている（図５及び図９参照）。端子カバー５４を回動して接続端子５２等を覆うと、端子カバー５４の内側の爪片５４b が端子台５０の凹部５０c に落ち込んで端子カバー５４が係止される。端子カバー５４の係止状態では、端子台５０の上辺の表面と端子カバー５４の上辺の内面との間の隙間５d が設けられて入出力用の配線５a 〜５c がこの隙間を通して導出される。
【００２８】
６は火災感知器の本体である。６０は本体６のケースで、図１０，１１のように輪郭形状が小形な直方体状でほぼ中空の箱型に合成樹脂で成型されている。ケース６０は有蓋無底の主ケース６１と無蓋有底の副（補助）ケース６２からなり、主ケース６１は更にやや深い表ケース６３と浅めの裏ケース６４の２部分に分割されている。表ケース６３と裏ケース６４は表裏から嵌め合わされて２本のネジ６１a （図３参照）で固定され、底部に副ケース６２が嵌装されて主副両ケース６１，６２の開口部が互いに突き合わされている。因みに、本体の寸法を示せば、縦と横及び厚さが、それぞれ１１×６×２．４（cm）である。
【００２９】
６１b は主ケース６１の落込部、６１c は摺動部である。落込部６１b は前記装着室４５の入口のバネ板４３に対向して設けられ、結合された主ケース６１の両側面に形成される。また、摺動部６１c の幅は主ケース６１の外側の四隅にできる稜線を直角に削り落として途中まで形成され、装着金具４０の異なる幅の折曲片４０g に対応して前面側がＷ1 で背面側がＷ2 になっている。６１d は主ケース６１の開口端の段部で形成され副ケース６２が嵌装される嵌入部、図示しない６１e は表ケース６３の嵌入部中央に設けられた肉厚部である。
【００３０】
図１１の(a) において、６３a は表ケース６３内のコの字壁６３b で囲まれたコネクタ室、６３c は２本の雌ネジスタッド、６３d は弓形壁、６３e はハの字壁、６３f は底部に突出した鍵形片である。コの字壁６３b と弓形壁６３d には、いずれも中央部に長四角形の通気口６３g と６３h が設けられている。そして、下方から本体６内に流入した空気流に搬送された煙が、ハの字壁６３e と弓形壁６３d に整流されて通気口６３h ，６３g を通して器外の上方に流出する。この結果、引続いて説明する光学台の中心部付近に煙を含んだ気流が誘導されて、火災感知器の本体６の煙の感知が効果的に行われる。
【００３１】
図１１の(b) において、６４a は裏ケース６４内の平行壁６４b で囲まれたコネクタ室、６４c は２本の中空の段付きスタッド、６４f は底部に突出した鍵形片で、これらの各部分は表ケース６３側のコネクタ室６３a 等に対応する。６４g は裏ケース６４の両側辺に形成された幅の狭い縦溝、６４h は両側辺の内側に設けられた段部、６４i はテスト用と調整用のために背面に設けられた貫通孔、６４j は２本の位置決めピンである。また、６４k は開口辺に沿い段部６４h と同高の底壁、６４m は底壁６４k に設けられた排水口である。段部６４h や底壁６４k は、位置決め以外に合成樹脂製のケース６４を補強する。特に、底壁６４k により、奥行きの深い箱型のケース６４の開口部を堅牢にする。
【００３２】
主ケース６１の内部の収納部品の配置状態が、図５および図１２に示されている。
６５は背面に電子部品を実装したプリント基板、６６はコネクタソケット、６７は光学台、６８は薄板状の光学台カバー、６９は防虫網、７０はプリント基板６５に接続されて垂下された表示灯（確認灯）である。プリント基板６５は中空段付きスタッド６４c と段部６４h 及び位置決めピン６４j により、背面側に隙間を空けて裏ケース６４の内部にセッテングされる。
【００３３】
セッテングされたプリント基板６５は、ケース６０の内部空間を２室に分断する。プリント基板６５の内部空間の分断で、裏側で電子部品を収納した実装室７２を表側の検知室７１から隔離する。また、セッテング状態におけるプリント基板６５上のコネクタソケット６６は、コネクタ室６４a 内に収容されてコネクタソケットをガイド板に沿って林立したコネクタプラグ５３のプラグピンに対向するようになっている。
【００３４】
また、光学台６７と光学台カバー６８は黒色樹脂で成型されて、光学台カバー６８の図示しないピンによって円筒型に組合わせられるような構造に作られている。円筒状の光学台６７の内部には、Ｙ字型やＪ字型の多数の遮光片６７a が周辺部に設けられ、投光素子６７b と受光素子６７c （共に正確な表示は省略されている。）の設置位置も設計されている。
【００３５】
そして、光学台６７の内部は所謂ラビリンス構造を形成しており、外部光を遮断し火災で発生した煙のみが流通できるように構成されている。特に、火災感知器の本体６の天井１への装着状態において、投・受光素子６７b ・６７c がいずれも円筒軸心を通る水平面より上位に位置するように設定されている。この投・受光素子６７b ・６７c の配置構成により、光軸上のレンズ面等に付着するゴミによる検知感度の低下を防止するように図られている。
【００３６】
一方、副ケース６２において、６２a は側壁に貫設された細長い角型の煙流入口、６２b は内部中央の平行仕切り、６２c と６２d は平行仕切り６２b の左右空間を６個の通気室r1〜r6に仕切るＹ字仕切りである〔図１０、図１１(c) 〕。また、６２e は平行仕切り６２b 内で長辺寄りに設けられた表示窓、６２f は開口部側が傾斜し奥に段部を形成した突起である。煙流入口６２a は長辺の側壁に各２個、短辺の側壁に各１個ずつ設けられて、これらの各煙流入口６２a はそれぞれ通気室r1〜r6に対応している。
【００３７】
Ｙ字仕切り６２c ，６２d は前述のハの字壁６３e と同様に、通気室r1〜r6に流入した気流の整流機能を分担する。６２g は両仕切り６２b 〜d の各先端と前後左右の４面の側壁との間に形成された狭い間隙、６２h と６２i は嵌装部と薄肉部である。副ケース６２には、防塵を兼ねた防虫網７３が組み込まれている。防虫網７３と前記防虫網６９の展開図が、図１３に表示されている。防虫網６９と７３には．厚さが０．１mm程度でステンレスのようなフィルム状の金属が使われ、図(a) と(b) の２点鎖線内に(c) に示すように約０．６mmφの円孔６２j が各行毎にほぼ半径分だけずらせて多列・多段に穿設されている。
【００３８】
６９a は防虫網６９の両端の幅方向に対称的に設けられた連結用の切込み、７３a は防虫網７３の側辺に形成された大形や小形のＬ形や角形の切欠きである。切込み６９a を交差してリング状になった防虫網６９は、光学台６７の円周面を囲繞する。他方、副ケース６２に組み込まれる防虫網７３は、余分な長さの両端の切欠き７３a を突起６２f の付近で重ね合わせて間隙６２g 内で側壁に沿って差込まれて突起６２f により抜け出しが禁止される。
【００３９】
二段構えの防虫網６９と７３により特に季節柄発生率の高い夏季における微小な虫類がシャットアウトされて、誤報等の発生を皆無にできる。間隙６２g 内に防虫網７３を組み付けた副ケース６２は、プリント基板６５と光学台６７を収容した主ケース６１の底部に取外し自在に嵌合される。
【００４０】
副ケース６２が嵌合されると、突起６２f が主ケース６１の鍵形片６３f と６４f に係止してロックされる。同時に、表示灯７０が、表示窓６２e の窓枠内に対面される。この際、表示窓６２e の偏り位置及び表ケース６３の肉厚部６１e と副ケース６２の薄肉部６２i との対応関係から、嵌め合い動作の正誤が判断されて前述の標識４０f と同様機能を司る。主ケース６１と副ケース６２とを結合したケース６０は全接合部が密に嵌合され、煙流入口６２a から流入して垂直方向の通気路を上昇する気流の側部からの洩れが設計上は絶無に等しく構成されるようになっている。
【００４１】
上述のような構成の本発明実施例の火災感知器の組立動作等を図１４と１５を併用して説明すれば、次の通りである。
予め、内部にプリント基板６５等が組み付けられた主ケース６１の底部に副ケース６２が結合されて、図１０に示されているような火災感知器の本体６が構成されているものとする。そして、前面の検知室７１には光学台６７と光学台カバー６８とからなる検知部が形成され、裏面の実装室７２にはプリント基板６５に実装されたチップ部品が収容される。また、装着金具４０の上部には、入出力用の端子機構５も固定されている（図１〜３，５）。
【００４２】
端子機構５を固定した装着金具４０を、脚立状に開かれた固定金具２０の足部３３，３４の間に端子機構５側から差し込む。締付ネジ２７，２８を内部側から装着金具４０のバカ孔４０a ，４０a に挿入し、それぞれネジ先だけを脚立片２１，２２のネジ孔２５，２６に僅かに螺合させる。ネジ先のみの螺合で端子機構５を取付けた装着金具４０が、固定金具２０の脚部３１，３２の内側に多少ガタ付いて仮に組付けられる。
【００４３】
仮組付けの状態ではバカ孔４０a ，４０a の中に締付ネジ２７，２８が通された装着金具４０が、螺合が残されたネジ部の範囲内で自由に移動できる。
そこで、開かれたバネ性の脚部３１，３２を両側から押圧して間隔を狭めながら、固定金具２０を装着金具４０側に押し付ける。押付けられた固定金具２０の足部３３，３４の先端が額縁枠４２に嵌入して、停止片３５，３６が額縁枠４２に接触して挿入が停止する。そして、足部３３，３４の先端の嵌入で、図１４の(a) に示されたように脚部３１，３２の間隔を収縮して薄幅にした状態がそのまま保持される。
【００４４】
一方、前述の装着金具４０の固定金具２０への仮組付けが終わったときに、入出力用の配線５a 〜５c をシステム天井１の開口１４から引き出す。引き出した配線５a 〜５c の剥き出した心線を、図５及び図９のように端子カバー５４を開いて端子台５０の各接続端子５２に差込んで接続する。端子台５０は信号線に応じて色別表示されているので、接続作業が容易で誤接続の恐れがない。端子カバー５４を矢印方向に起して、一対の爪片５４b と凹部５０c でそれぞれロックする。
【００４５】
ここで、配線が済んで前記の薄幅に保持した状態の固定金具２０と装着金具４０を、床面側からシステム天井１の開口１４に挿入する。装着金具４０の鍔片４４がＴバー１１に接触して奥まで挿入し、固定金具２０を押し上げると、仮組付けの遊びで固定金具２０が脚部３１，３２を広げて平常間隔に復帰する。このときの両金具２０と４０の状態が、図１４(b) に示されている。
【００４６】
固定金具２０と装着金具４０の挿入後、やや長いドライバを下から差込んで、２本の締付ネジ２７，２８を締付ける。締付ネジ２７，２８の締付けで、対構造のＴバー１１の間に跨設された固定金具２０により、装着金具４０が装着室４５を床面側に開口させてシステム天井１に取付けられる。その後、装着金具４０の装着室４５に、火災感知器の本体６が主ケース６１側から挿入される。この場合、前述のように異幅の折曲片４０g と標識４０f が、本体６の挿入方向を教示するので仮りに暗所作業でも誤挿入の心配が全くない。
【００４７】
このようにして直方体状の火災感知器の本体６が、システム天井１の開口１４内に装着される。同様の動作で、同一階層内の火災感知器が、システム天井１に監視地域毎に設置される。そして、各階層のシステム天井１に取り付けられた火災感知器群が、それぞれ配線５a 〜５c を介して回線毎に監視室に設置された火災受信機に接続される。
【００４８】
火災が発生すると加熱した煙が屋内を上昇して、システム天井１の開口１４に取り付けられた火災感知器６の各煙流入口６２a から通気室ｒ1 〜ｒ6 内に流入する。通気室ｒ1 〜ｒ6 内に流入した煙は縦方向のＹ字仕切りにより、相互に干渉することなく検知室７１を縦断する通気路を上昇して器外に放出される。上昇する煙は通気路の途中で左右から張出したハの字壁６３e と弓形壁６３d の影響を受けて、検知室７１内に設けられた光学台６７のラビリンスの中心部方向に誘導される。
【００４９】
一方、光学台６７内の投光素子６７b は、周期的にパルス点灯されている。そして、投光素子６７b から投射した光が流入した煙の濃度に応じて散乱され、受光素子６７c がこの散乱光を検出する。受光素子６７c の検出信号はプリント基板６５上の電子回路で増幅され、煙の濃度が設定値を越えると配線５a 〜５c を介して受信機に送られる。この結果、火災地区を表示すると共に、屋内の各所に設けられた警報機を吹鳴させて火災の発生を報知する。同時に、表示灯７０が点灯されて、火災で動作した火災感知器を表示窓６２e で視認することができる。
【００５０】
また、定期的な保守・点検時においては、加煙試験器と呼ばれる発報用の試験器が使用される。
図１５において、８６は試験器、８６a は試験器８６の包囲筒、８６b は包囲筒８６a 内に設けられた生成部、８６c は把持棒である。包囲筒８６a は角筒状に形成され、上面に火災感知器の本体６の輪郭形状に合わせた試験孔８６d が設けられている。
【００５１】
発報試験を実施するときは試験器８６の試験孔８６d で、システム天井１に装着された本体６の露出した煙流入部を覆う。そして、例えば、把持棒８６c のスイッチを操作して、生成部８６b を介して包囲筒８６a の内部に疑似煙を発生させて発報テストが行われる。図１５では角筒状の包囲筒を示したが、円筒形の包囲筒を用いてもよい。また、従来型の円筒形の包囲筒には図１６の(a) と(b) に示されたように、キャップ形のアダプタ８７と８８が用いられる。図(a) の８７a はアダプタ８７に設けられた長方形の試験孔、図(b) の８８a はアダプタ８８に形成された一対の閉鎖爪である。一対の閉鎖爪８８a の間隔は前記額縁枠４２の長辺の幅より幾分広く作られて、システム天井１の両側の開口１４を閉鎖するようになっている。アダプタ８７と８８により、従来型の円筒形がそのままシステム天井１の試験に利用できて便利になる。
【００５２】
点検結果で本体６を取外す必要があるときは、火災感知器の本体６の露出部分を摘んで引き下げる。すると、凹凸の嵌め合い構造によってはバネ板４３と落込部６１b の係合が解除されて、本体６を装着室４５から手動で引き抜くことも可能である。装着室４５から取り外された本体６は、突起６２f と鍵形片６３f ，６４f の係合を解いて主ケース６１から副ケース６２が外される。更に、１本または２本のネジ６１a を緩めれば、主ケース６１が表ケース６３と裏ケース６４に分離して内部が簡単に分解される。分解された光学台６７や防虫網６９等が手入れされ、プリント基板６５は電子回路の点検等が実施される。
【００５３】
必要があれば、図１７に示されたようなコ字形の硬質樹脂製の引抜器９が、取外し用に用いられる。引抜器９の開放したアーム９１の幅Ｗは、本体６とほぼ等しく作られている。このアーム９１が幾分先端の間隔を弾性的に広げられながら、本体６と装着室４５の両側面の隙間に挿入される。アーム９１が隙間に挿入されると、先端がバネ板４３と落込部６１b の間に割り込んでバネ板４３を押し広げる。更に前進させると、アーム９１の内側の２つの引掛爪９２が落込部６１b に落込んで停止する。そのまま引抜器９を引き出せば、本体６が引抜器９に抱えられて自動的に取り外される。
【００５４】
万一、屋根裏の雨漏りや上層階の漏水で、システム天井１の天井裏から水滴が配線５a 〜５c に伝え落ちるようなことが発生する。しかしながら、端子機構５のカバー５４をヒンジ軸５４a を支点に回動してカバーすると、可撓性の配線５a 〜５c が端子台５０に押し付けられて出口で直角或いは鋭角に自動的に折り曲げられる（図１）。このため、配線５a 〜５c に伝え落ちた水滴が、折り曲げられた部分から直接床面に落下することになる。したがって、配線５a 〜５c に伝った水滴が、火災感知器の本体６に侵入しない。仮に、実装室７２に水滴が侵入しても、侵入した水は排水口６４m から排出される。
【００５５】
変形例１
上述の説明では固定金具２０の脚立片２１，２２が一体型の場合で説明したが、固定金具の変形例が準備されている。変形例において前述と異なる構成は装着金具４０を固定する固定金具２０にあり、相違した構造が図１８と図１９に示されている。
図１８で示されているように、変形例では分割された一対の脚立片２１，２２により固定金具２０が構成される。分割された脚立片２１，２２は幾分形状も変えられて、頂部２３，２４の形状が狭められて下方が開放されたコ字形の挟持部２１a ，２２a が形成されている。また、脚立片２１，２２の頂部２３，２４のネジ孔２５，２６が、バカ孔２５a ，２６a に代えられている。
【００５６】
分離型の脚立片２１，２２を装着金具４０に連結させるために、図１９に示されたような連結金具が設けられている。
８１と８２は一対の連結金具、８３，８４は抓み付の蝶ネジである。連結金具８１，８２は脚立片２１，２２の挟持部２１a ，２２a と相似形のコ字形に折り曲げられて、挟持部２１a と２２a の間にやや固く挿入される大きさに作られている〔図１８(a) 〕。
【００５７】
８１a は連結金具８１の頂部に設けられたネジ孔、８１ｂと８１c は両側面に設けられたストッパ腕とストッパ爪である。ストッパ腕８１b とストッパ爪８１c は連結金具８１の回転と抜出しを防止し、前記装着金具４０の差込孔４０d と係止孔４０e に対応して設けられている。８２a は他方の連結金具８２の頂部に設けられたネジ孔、８２b と８２c は両側面に設けられたストッパ腕８２b とストッパ爪８２c である。
【００５８】
このような構成の変形例では、最初に装着金具４０を床面側からシステム天井１の開口１４に差し込んで上部を天井裏に突出させる。天井裏に突出した装着金具４０の差込孔４０d と係止孔４０e に、連結金具８１をやや傾けながら一対のストッパ腕８１b とストッパ爪８１c を挿し込む。ストッパ腕８１b とストッパ爪８１c の挿入により、装着金具４０の片方の肩部に連結金具８１が水平方向に張り出して連結される。連結された連結金具８１を挟むように上から挟持部２１a を嵌装してから、蝶ネジ８３をバカ孔２５a に通して連結金具８１のネジ孔８１a に先端の一部を螺合して仮締めする。
【００５９】
同様にして、他方の蝶ネジ８４を仮締めすると、分離型の固定金具２０が装着金具４０に予備的に組み付けられる。そして、脚立片２１，２２の脚部３１，３２を開口１４上に跨がせた状態で、蝶ネジ８３，８４を締め付ける。蝶ネジ８３と８４を交互に締め付けると、開口１４の側縁が装着金具４０の鍔片４４と固定金具２０の脚部３１，３２下端の足部３３，３４に実施例１と同様に挟圧される。このように、変形例では天井裏側の締め付け操作を伴って、装着金具４０がシステム天井１に固定されるようになっている。装着金具４０は、脚立片２１，２２の一体型と分離型に共用できる特徴がある。
【００６０】
変形例２
変形例２を示す図２０の(a) ，(b) において、８５は遮蔽板である。遮蔽板８５は長方形で、図には示されていないが中央に本体６が挿入される角孔が設けられている。この遮蔽板８５は固定金具２０と装着金具４０とを組み付ける前に、角孔に装着金具４０が前面から嵌め込まれる。装着金具４０が固定金具によってシステム天井１に取付けられると、鍔片４４とＴバー１１に挟まれて遮蔽板８５が天井面に固定されるようになっている。
【００６１】
天井面に固定された遮蔽板８５により、火災感知器の本体６の左右の開口１４が塞がれる。そして、火災時に発生する煙が集中的に煙流入口６２a から検知室７１内に流入して、発火を速やかにかつ高感度に検知することができる。図(a) の８５a は遮蔽板８５をＴバーに弾性的に係合させるための係合片で、遮蔽板８５の裏側に突出して設けられている。係合片８５a が設けられているので、遮蔽板８５が天井面に隙間なく密着して取付けられる。図(b) は、装着金具４０の鍔片４４と一体型の遮蔽板（遮蔽片）８５の変形例である。
【００６２】
適用例
本発明の別の適用例では実施例１における説明と異なり、火災感知器の本体６が前述のシステム天井１に形成される無限的な帯状の開口１４ではなく、有限の長辺を有する長方形の開口に装着されている。
【００６３】
適用例の構成が、図２１と図２２に示されている。
図２１，２２の１６は、火災感知器の本体６を装着するための長方形の開口である。開口１６は装着金具４０の横断面よりやや大きい輪郭形状で、例えば天井板１５に設けられている。その他の装着金具等の構成は、前記の説明と同一になっているので、再説明を省略する。
【００６４】
なお、上述した本発明の各実施例では火災感知器を天井に取付けた場合を例示して説明したが、天井以外の側壁等の場合にも本発明を適用することができる。また、固定部材と装着部材の素材に金属を用いた場合で説明したが、ナットや板バネ或いは補強用の金属薄板をインサート成型した合成樹脂部材を用いることも可能である。
【００６５】
さらに、ラビリンスの内部で火災時に発生する煙の反射光に伴う受光素子の受光量の変化で火災の発生を感知する火災感知器で説明したが、火災時の熱の発生に伴う半導体の抵抗変化等を利用する火災感知器でもよく、その他の部品の材質や形状も必ずしも実施例に限定するものではない。
【００６６】
【発明の効果】
本発明に係る火災感知器の取外し装置は、天井に設けられた取付用の開口上に跨設された固定部材と、該固定部材により鍔片を前記開口に係止して前記天井に取り付けられた装着部材と、該装着部材に装着される直方体形の火災感知器の本体と、前記ケースの外側壁と装着部材の内壁壁との接触面に前記本体を引抜き自在に固定する固定手段とを備えた火災感知器の取付構造において、前記装着部材に装着された前記本体を固定手段の係止を解除して装着部材から引き抜くための引抜器を備えたので、踏台等を使わずに容易に本体を取外すことができ、取扱いが便利で危険も少ない。
【図面の簡単な説明】
【図１】この発明の実施例の構成説明図である。
【図２】図１の正面図である。
【図３】図１の背面図である。
【図４】図１の底面図である。
【図５】この発明の実施例の組付け状態を示す断面図である。
【図６】この発明の実施例の固定金具の展開図である。
【図７】この発明の実施例の固定金具の斜視図である。
【図８】この発明の実施例の装着金具の斜視図である。
【図９】この発明の実施例の端子機構の斜視図である。
【図１０】この発明の実施例の本体の斜視図である。
【図１１】この発明の実施例のケースの分解内面図である。
【図１２】この発明の実施例のケース内の組付け状態を示す平面図である。
【図１３】この発明の実施例の防虫網の展開図である。
【図１４】この発明の実施例の動作説明図である。
【図１５】この発明の実施例の試験器の斜視図である。
【図１６】この発明の実施例の試験器用アダプタの斜視図である。
【図１７】この発明の実施例の引抜器の斜視図である。
【図１８】この発明の変形例の脚立片の構成説明図である。
【図１９】この発明の変形例の連結片の構成説明図である。
【図２０】この発明の別の変形例の構成説明図である。
【図２１】この発明の適用例の構成説明図である。
【図２２】図２１の底面図である。
【図２３】従来の火災感知器の構成説明図である。
【符号の説明】
１  システム天井
２  固定部材
４  装着部材
５  端子機構
６  火災感知器の本体
９  引抜器
１１  Ｔバー
１４  開口
１５  天井板
１６  開口
２０  固定金具
２１，２２  脚立片
２７，２８  締付ネジ
４０  装着金具
４０f   標識
４１  保持枠
４２  額縁枠
４３  バネ板
４４  鍔片
４５  装着室
５０  端子台
５１  プリント板
６０  ケース
６１  主ケース
６１a   ネジ
６１b   落込部
６１c   摺動部
６２  副（補助）ケース
６２a   煙流入口
６２e   表示窓
６３  表ケース
６３f   鍵形片
６３g   通気口
６３h   通気口
６４  裏ケース
６４f   鍵形片
６４m   排水口
６５  プリント基板
６７  光学台
６７b   投光素子
６７c   受光素子
６８  光学台カバー
６９  防虫網
７０  表示灯（確認灯）
７１  検知室
７２  実装室
７３  防虫網
８１，８２  連結金具
８３  蝶ネジ
８４  蝶ネジ
８５  遮蔽板
８６  試験器
８７，８８  アダプタ
【図１】
0003716351.tif 000002
【図２】
0003716351.tif 000003
【図３】
0003716351.tif 000004
【図４】
0003716351.tif 000005
【図５】
0003716351.tif 000006
【図６】
0003716351.tif 000007
【図７】
0003716351.tif 000008
【図８】
0003716351.tif 000009
【図９】
0003716351.tif 000010
【図１０】
0003716351.tif 000011
【図１１】
0003716351.tif 000012
【図１２】
0003716351.tif 000013
【図１３】
0003716351.tif 000014
【図１４】
0003716351.tif 000015
【図１５】
0003716351.tif 000016
【図１６】
0003716351.tif 000017
【図１７】
0003716351.tif 000018
【図１８】
0003716351.tif 000019
【図１９】
0003716351.tif 000020
【図２０】
0003716351.tif 000021
【図２１】
0003716351.tif 000022
【図２２】
0003716351.tif 000023
【図２３】
0003716351.tif 000024